(57)【要約】【課題】  運用回線心線に触れずに、未回線心線を取り出せるようにして、運用回線に無用な障害をもたらす恐れをなくす。【解決手段】  光ケーブル用分岐接続箱の心線収納トレイ２５内で、主ケーブル１から引き出した光ファイバ心線１ａとドロップケーブル２の光ファイバ心線２ａとの光接続部７及び心線余長が収納される。そして、将来の運用化に備えて主ケーブル１から引き出した光ファイバ心線（未回線心線）１ｂをチューブ４２に収容して、心線収納トレイ２５の側面に設けた未回線心線収容溝３５内に配置する。作業者にとって未回線心線１ｂは、心線収納トレイ２５の手前にあるので、運用回線心線に触れることなく、未回線心線を心線収納トレイから取り出すことができる。【選択図】  図１０
2006098612.tif 000002
【特許請求の範囲】
【請求項１】
主ケーブルから引き出した光ファイバ心線とドロップケーブル及び／又は分岐ケーブルの光ファイバ心線との光接続部及び心線余長を収納する心線収納トレイを備えた光ケーブル用分岐接続箱であって、
主ケーブルから将来の運用化に備えて引き出した未回線心線を可撓性樹脂からなるチューブに収容し、未回線心線を前記チューブとともに収容するための未回線心線収容部を心線収納トレイの外側面に設けたことを特徴とする光ケーブル用分岐接続箱。
【請求項２】
前記未回線心線収容部は、心線収納トレイの幅方向側面に沿って設けた溝であることを特徴とする請求項１記載の光ケーブル用分岐接続箱。
【請求項３】
前記溝は、心線収納トレイの幅方向側面の壁部と、金属板製のトレイ台の幅方向側縁部を上向きに折曲した壁部とによって形成されたことを特徴とする請求項２記載の光ケーブル用分岐接続箱。
【請求項４】
前記溝は、プラスチック製の心線収納トレイと一体成形により構成されたことを特徴とする請求項２記載の光ケーブル用分岐接続箱。
【発明の詳細な説明】
【技術分野】
【０００１】
この発明は、主ケーブルから引き出した光ファイバ心線とドロップケーブル及び／又は分岐ケーブルの光ファイバ心線との光接続部及び心線余長を収納する心線収納トレイを備えた光ケーブル用分岐接続箱に関する。
【背景技術】
【０００２】
光ファイバ通信の加入者網において、幹線ケーブルから加入者へのドロップケーブルを引き落とす場合、ドロップクロージャと称されている光クロージャが使用される。図１４に模式的に示すように、この種の光クロージャ６は水密構造のクロージャスリーブ５内に心線収納トレイ４を備えている。心線収納トレイ４には、幹線ケーブルである主ケーブル１から引き出した運用回線である光ファイバ心線１ａとドロップケーブル２の光ファイバ心線２ａとの光接続部７及び心線余長が収容され、また、将来の加入者への引き込みに際して使用するための未回線心線１ｂが収納されている。
なお、主ケーブル１は外周に螺旋溝（図示略）を持つスロットロッド１ｄの前記螺旋溝に光ファイバ心線１ａ、１bを収容した構造であり、図示例はスロットロッド１ｄを切断せずに心線接続を行う心線接続形態である。
【０００３】
従来、未回線心線１ｂは、図示の通り、ナイロン製のバッグである未回線心線ホルダ８内に入れて、心線収納トレイ４内の余長収納部に収容していた。
【発明の開示】
【発明が解決しようとする課題】
【０００４】
上記従来の光クロージャ６では、上記の通り、未回線心線１ｂを未回線心線ホルダ８に入れて心線収納トレイ４内の余長収納部に収容しているので、心線収納トレイ４内には、運用回線心線１ａと未回線心線１ｂとが混在している。このため、未回線心線１ｂを運用回線としてドロップケーブルに接続する際、未回線心線１ｂを心線収納トレイ４から取り出す作業時に、運用回線心線１ａに触れてしまう恐れがあり、これにより通信障害をもたらす危険性があった。
【０００５】
本発明は上記従来の欠点を解消するためになされたもので、未回線心線を心線収納トレイから取り出す際に、運用回線心線に触れる恐れがなく、運用回線に無用な障害をもたらす恐れのない光ケーブル用分岐接続箱を提供することを目的とする。
【課題を解決するための手段】
【０００６】
上記課題を解決する本発明は、主ケーブルから引き出した光ファイバ心線とドロップケーブル及び／又は分岐ケーブルの光ファイバ心線との光接続部及び心線余長を収納する心線収納トレイを備えた光ケーブル用分岐接続箱であって、
主ケーブルから将来の運用化に備えて引き出した未回線心線を可撓性樹脂からなるチューブに収容し、未回線心線を前記チューブとともに収容するための未回線心線収容部を心線収納トレイの外側面に設けたことを特徴とする。
【０００７】
請求項２は、請求項１記載の光ケーブル用分岐接続箱において、未回線心線収容部が、心線収納トレイの幅方向側面に沿って設けた溝であることを特徴とする。
【０００８】
請求項３は、請求項２記載の光ケーブル用分岐接続箱において、溝が、心線収納トレイの幅方向側面の壁部と、金属板製のトレイ台の幅方向側縁部を上向きに折曲した壁部とによって形成されたことを特徴とする。
【０００９】
請求項４は、請求項２記載の光ケーブル用分岐接続箱において、溝が、プラスチック製の心線収納トレイと一体成形により構成されたことを特徴とする。
【発明の効果】
【００１０】
本発明によれば、未回線心線が可撓性樹脂からなるチューブ内に収容されるとともに、心線収納トレイの外面に配置されているので、運用回線心線に触れることなく、未回線心線を心線収納トレイから取り出すことができ、運用回線に無用な障害をもたらす恐れはない。
【発明を実施するための最良の形態】
【００１１】
以下、本発明を実施した光ケーブル用分岐接続箱について、図面を参照して説明する。
【実施例１】
【００１２】
図１は本発明の一実施例の光ケーブル用分岐接続箱１１の内部構造を示す正面図、図２は同平面図、図３は図１の要部の拡大左側面図である。これらの図において、１２は連結棒である。連結棒１２の両端部にケーブル把持金具１３、テンションメンバ把持金具１４、ドロップケーブル把持金具１５がネジで固定されている。ケーブル把持金具１３に水平なアーム１７が固定され、このアーム１７に吊り金具１６が固定され、この吊り金具１６によりメッセンジャワイヤ（支持線）１８に吊持される。
【００１３】
上記の各部を防水状態で覆うクロージャスリーブ１９はプラスチック成形品であり、図３で上部のヒンジ部を中心として下部が左右に開平可能な二つ割り構造であり、爪１９ａと係止部１９ｂとによる係止構造で閉じ合わされるようになっている。このクロージャスリーブ１９の両端の開口部に、当該開口縁に密着して防水を果たす端面板２０が取り付けられる。端面板２０は、同じく上部のヒンジ部を中心として下部が左右に開平可能な二つ割り構造であり、アーム１７、主ケーブル１、分岐ケーブル３を通した時にそれぞれアーム挿入穴２１、主ケーブル挿入穴２２、分岐ケーブル挿入穴２３となる部分は薄肉である。ドロップケーブル挿入穴２４は二つ割り面とは別の貫通穴であり、多数設けられている。なお、端面板２０の詳細は省くが例えば、ゴムパッキンにプラスチックカバーを被せた構造である。
【００１４】
前記連結棒１２にはプラスチック製の心線収納トレイ２５が取り付けられている。心線収納トレイ２５は、図４〜図７にも示すように、金属板製のトレイ台２７にネジ２８で固定され、このトレイ台２７が連結棒１２にヒンジ２９を介して図６で矢印ａのように上下に回転可能に取り付けられている。トレイ台２７には、トレイ台固定ピン３１がスライド可能に設けられ、このトレイ台固定ピン３１が図７のように連結棒１２の係止穴１２ａに嵌入することで水平な状態に設置される。図５はトレイ台固定ピン３１を引いた状態、図６は次いで心線収納トレイ２５をヒンジ２９を中心として上に回して起こした状態を示す。心線収納トレイ２５の下方の作業をする必要があるときには、図６のように心線収納トレイ２５を起こす。図５〜図７で２６はトレイ固定用のバンドであるが、図６のように心線収納トレイ２５を起こした状態に保持する時にも用いる。図６は主ケーブル１を結束バンド３２で連結棒１２に締め付け固定した状態で示している。
実施例では心線収納トレイ２５が一段であるが、複数段積層する場合もある。心線収納トレイ２５は上下部にヒンジ３０を備え、複数段積層する場合は、上下の心線収納トレイ２５をヒンジ３０で互いに回転可能に連結する。
【００１５】
本発明では、心線収納トレイ２５の外側面に未回線心線収容部を設ける。この実施例では、金属板製のトレイ台２７のヒンジ２９と反対側の側縁部を上向きに折曲して壁部２７ａを形成することで、この壁部２７ａと心線収納トレイ２５の側面との間に未回線心線収容溝（未回線心線収容部）３５を形成している。図示例では未回線心線収容溝３５を形成するためのトレイ台２７の壁部２７ａを一連続の壁部としているが、一部を切り欠いた壁部であってもよい。
【００１６】
心線収納トレイ２５の詳細を主として図４を参照して説明すると、この心線収納トレイ２５は、上面から見て細長い長円形であり、周囲に側壁３６を備え、両側に心線出入れ口３７ａ、３７ｂ、３７ｃ、３７ｄを備え、側壁３６の内面側の複数箇所に内側に延出する舌状の心線押さえ３８を備え、中央部の余長収納スペースの両側に融着接続部領域３９を備えている。融着接続部領域３９は、図４に示すように、光ファイバ心線の融着接続部７（融着補強スリーブ）を嵌め込んで保持する融着スリーブホルダー４０を多数備えている。
【００１７】
上記の分岐接続箱１１におけるケーブル導入の態様を説明すると、図８、図９はスロットロッド無切断で行う後分岐接続工法の場合であり、幹線ケーブルである主ケーブル１は一定長さ部分の外被が剥ぎ取られて、スロットロッド１ｄが露出した状態で、分岐接続箱１１を通過している。主ケーブル１は端面板２０を貫通し、連結棒１２の両側部分においてケーブル把持金具１３で把持される。主ケーブル１（及び分岐ケーブル３）はケーブルの左右両側のケーブル把持金具１３に螺合させた図示略の鬼目ボルトで水平方向の左右両側から押し付け把持される。
同図は分岐接続箱１１の片側（左側）から分岐ケーブル３が導入され、他側（右側）方からドロップケーブル２が導入されている状態を示している。分岐ケーブル３は、端面板２０を貫通し、ケーブル把持金具１３で把持され、そのスロットロッドから露出させたテンションメンバ３ｅがテンションメンバ把持金具１４で把持されている（図９では分岐ケーブルの図示を省いた）。ドロップケーブル２は、端面板２０を貫通し、ドロップケーブル把持金具１５で把持される。
【００１８】
図１０〜図１２は心線収納トレイ２５内の心線接続の態様を模式的に示したものである。
図１０は主ケーブル１からドロップケーブル２のみを引き落とす場合であり、かつ、直線接続の場合である。主ケーブル１から引き出した光ファイバ心線１ａとドロップケーブル２の光ファイバ心線２ａとは融着接続され、その融着接続部（融着補強スリーブ）７が融着スリーブホルダー４０に配置される。その場合、光ファイバ心線は１ａ、２ａは心線出入れ口３７ａ、３７ｂから導入され、心線余長部は中央の余長収納部４４ａや両側の余長収納部４４ｂに収納される（図１０では中央の余長収納部４４ａ）。
そして、将来の加入者への引き込みに際して使用するために主ケーブル１から引き出した未使用回線の光ファイバ心線（未回線心線）１ｂは、ナイロンなどのチューブ４２に収容して心線収納トレイ２５の側部に設けた前記未回線心線収容溝３５内に収容する。チューブ４２の材料としては、ナイロンに限らず、テフロンその他種々の材料を用いることができるが、表面が滑らかなものが適切である。
【００１９】
上記のように分岐ドロップケーブル引き落としを行った分岐接続箱において、後に未回線心線を運用回線として引き落とす必要が生じた場合、未回線心線１ｂは心線収納トレイ２５の外側の未回線心線収容溝３５からチューブ４２ごと取り出せばよい。したがって、従来のように、未回線心線を心線収納トレイから取り出す為に、心線収納トレイ内に余長部が収納されている運用回線に触れる必要が無い。したがって、運用回線に触れて、通信障害をもたらすことを防止できる。
なお、実施例では未回線心線収容溝３５を心線収納トレイ２５のヒンジ２９と反対側の側面に設けているので、作業時に未回線心線収容溝３５が心線収納トレイ２５の手前に位置することとなり、作業性の点で好ましい。
【００２０】
図１１は同じく主ケーブル１からドロップケーブル２のみを引き落とす場合であるが、いわゆる松葉接続の場合を示す。主ケーブル１の光ファイバ心線１ａとドロップケーブル２の光ファイバ心線２ａとを前記と同様に接続するが、接続すべき主ケーブル１の光ファイバ心線１ａとドロップケーブル２の光ファイバ心線２ａとが同じ側にある場合である。
主ケーブル１から引き出した未使用回線の光ファイバ心線（未回線心線）１ｂは前記と同様にチューブ４２に収容し、未回線心線収容溝３５に収容する。
【００２１】
図１２は主ケーブル１から分岐ケーブル３を分岐させる場合を示す。主ケーブル１から引き出した光ファイバ心線１ａと分岐ケーブル３の光ファイバ心線３ａとは前記と同様に接続される。
また、主ケーブル１から引き出した未使用回線の光ファイバ心線（未回線心線）１ｂは前記と同様にチューブ４２内に収容して、未回線心線収容溝３５内に収容する。なお、分岐ケーブル３は主ケーブル１の上に位置するが、区別でき易いように横にずらせて図示した。
【００２２】
なお、図１０〜図１２の実施例では、主ケーブル１からドロップケーブル２を引き落とす場合と、主ケーブル１から分岐ケーブル３を分岐させる場合とを個別に説明したが、主ケーブル１からのドロップケーブル２の引き落としと分岐ケーブル３の分岐との両方を行う場合も当然ある。
また、上述の実施例はスロットロッド無切断の後分岐接続工法の場合であるが、スロットロッドを切断して分岐接続する工法の場合にも当然、本発明を適用することができる。
【実施例２】
【００２３】
図１３に本発明の他の実施例を示す。図示のように、プラスチック製の心線収納トレイ２５’と一体成形で未回線心線収容溝３５’を構成することもできる。
【実施例３】
【００２４】
上記実施例では、未回線心線収容溝３５を心線収納トレイ２５のヒンジ２９と反対側の側面に設けているので、作業性の点で好ましいが、ヒンジ２９と同じ側に設けること、あるいは、心線収納トレイ２５の下面側に設けることを必ずしも除外しない。
また、実施例では未回線心線収容部として溝（未回線心線収容溝３５）を設けたが、溝以外の形状であってもよい。
また、上述の光ケーブル用分岐接続箱は、加入者網のドロップケーブル引き落としが可能な光クロージャとして説明したが、その他の光クロージャに適用することができる。要するに、融着接続部及びその前後の心線余長を収納するとともに、未回線心線を予備に設けておく必要のある種々の用途の光ケーブル用分岐接続箱として適用することができる。
【図面の簡単な説明】
【００２５】
【図１】本発明の一実施例の光ケーブル用分岐接続箱の内部構造を示す正面図である。
【図２】図１の光ケーブル用分岐接続箱の平面図である。
【図３】図１の要部の拡大左側面図である。
【図４】図２における心線収納トレイ部分の要部拡大図である。
【図５】図４の左側面図（但しトレイ台固定ピンを引いた状態で示したもの）である。
【図６】図５の心線収納トレイをヒンジ軸を中心にして回して起こした状態を示す図である。
【図７】チューブ配置用の溝にチューブを入れた状態で示した、図４の左側面図である。
【図８】上記の光ケーブル用分岐接続箱への光ケーブル導入の態様を説明する図であり、図１に光ケーブルを付加して示した図である。
【図９】上記の光ケーブル用分岐接続箱への光ケーブル導入の態様を説明する図であり、図２に光ケーブルを付加して示した図である。
【図１０】上記の光ケーブル用分岐接続箱における心線接続形態の一例を説明する模式図である。
【図１１】上記の光ケーブル用分岐接続箱における心線接続形態の他の例を説明する模式図である。
【図１２】上記の光ケーブル用分岐接続箱における心線接続形態のさらに他の例を説明する模式図である。
【図１３】本発明の他の実施例の光ケーブル用分岐接続箱における心線収納トレイの模式的な断面図である。
【図１４】従来の光ケーブル用分岐接続箱を説明する模式図である。
【符号の説明】
【００２６】
１  主ケーブル
１ａ、２ａ、３ａ  光ファイバ心線
１ｂ  光ファイバ心線（未回線心線）
１ｄ  スロットロッド
２  ドロップケーブル
３  分岐ケーブル
３ｅ  テンションメンバ
７  融着接続部（融着補強スリーブ）
１１  光ケーブル用分岐接続箱
１２  連結棒
１３  ケーブル把持金具
１４  テンションメンバ把持金具
１５  ドロップケーブル把持金具
１６  吊り金具
１７  アーム
１８  メッセンジャワイヤ（支持線）
１９  クロージャスリーブ
２０  端面板
２１  アーム挿入穴
２２  主ケーブル挿入穴
２３  分岐ケーブル挿入穴
２４  ドロップケーブル挿入穴
２５、２５’  心線収納トレイ
２７  トレイ台
２７ａ  壁部
２８  ネジ
２９  ヒンジ
３１  トレイ台固定ピン
３５、３５’  未回線心線収容溝（未回線心線収容部）
３６  側壁
３７ａ、３７ｂ、３７ｃ、３７ｄ  心線出入れ口
３８  心線押さえ
３９  融着接続部領域
４０  融着スリーブホルダ
４２  チューブ
４４ａ、４４ｂ  余長収納部
【図１】
2006098612.tif 000003
【図２】
2006098612.tif 000004
【図３】
2006098612.tif 000005
【図４】
2006098612.tif 000006
【図５】
2006098612.tif 000007
【図６】
2006098612.tif 000008
【図７】
2006098612.tif 000009
【図８】
2006098612.tif 000010
【図９】
2006098612.tif 000011
【図１０】
2006098612.tif 000012
【図１１】
2006098612.tif 000013
【図１２】
2006098612.tif 000014
【図１３】
2006098612.tif 000015
【図１４】
2006098612.tif 000016